(57)【要約】  【課題】  無線コントローラの識別信号の登録と充電が容易にできる電動ミシンを提供する。  【解決手段】  ミシン本体１のベッド１９には接続端子３が露出しており、コントローラ２のＩＤコードの登録とコントローラ２への充電を行う。コントローラ２の裏面の接続端子３に対応する位置に第２接続端子４が設けられ、コントローラ２をベッド１９上に載置するだけで、接続端子３と第２接続端子４が接触することによりＩＤコードの登録と充電を行う。ミシン本体１は登録されたＩＤコードのコントローラ２からのコントロール信号のみを受信してミシンを制御する。【選択図】  図１
2006026148.tif 000002
【特許請求の範囲】
【請求項１】
ミシン本体に無線で接続してミシン制御信号を発信し、充電可能な電源を備えた無線コントローラと、
該無線コントローラに備えられ該無線コントローラを識別する識別信号を出力する識別信号出力装置と、
該無線コントローラに備えられ、前記ミシン制御信号と識別信号とを送信する送信装置と、
前記ミシン本体に備えられ、前記識別信号出力装置からの識別信号を入力する入力装置と、
前記ミシン本体に備えられ、該入力した識別信号を登録する識別信号登録装置と、
前記ミシン本体に備えられ、前記ミシン制御信号と識別信号を受信する受信装置と、
前記ミシン本体に備えられ、該識別信号登録装置に登録した識別信号と前記受信装置から入力した識別信号を比較し、不一致の場合無線コントローラからの前記ミシン制御信号を無視する判別装置と、
前記ミシン本体に備えられ、前記無線コントローラの電源と接続して、該電源を充電する充電装置と、
を備えたことを特徴とする電動ミシン。
【請求項２】
前記入力装置と充電装置が共通の接続端子を有する、
請求項１に記載の電動ミシン。
【請求項３】
前記接続端子が、ミシン本体のベッド上に設けられ、
無線コントローラ側に、該接続端子に接続する第２接続端子が設けられ、
該第２接続端子は、無線コントローラをミシン本体のベッド上に載置したときに前記接続端子と接触する、
請求項２に記載の電動ミシン。
【発明の詳細な説明】
【技術分野】
【０００１】
この発明は、電動ミシンに関する。
【背景技術】
【０００２】
電動ミシンの始動、停止及び駆動速度（縫い速度）の制御は、ミシン本体に備えられたレバーか或いはミシン本体に接続された足踏み式のコントローラで行う構成が普通であるが、該足踏み式のコントローラをコードレス化して、無線でミシンの制御を行うことが提案されている（特許文献１参照）。
【０００３】
【特許文献１】特許第２７２２７６９号公報
【発明の開示】
【発明が解決しようとする課題】
【０００４】
しかし、無線コントローラの場合、本体との間にコードがないため、電源として電池が用いられており、電池交換や充電の手間がかかる問題があった。
また、無線コントローラの場合、他の機器の信号による誤動作の問題がある。一般家庭には、いろんな周波数の電波及びテレビ、ビデオ等のリモコンに代表される赤外線が飛び交っており、これらの信号でミシンが誤動作する危険がある。
これを防止するためには、無線コントローラにＩＤを設定しそのＩＤを認識した場合にのみコントロールを有効にする必要がある。
しかし、ＩＤの初期設定作業が複雑で面倒であり、無線コントローラを交換した場合等にも初期設定作業を行う必要がある等の問題があった。
本発明は上記従来の問題を解決することを目的とする。
【課題を解決するための手段】
【０００５】
上記目的を達成するために、本発明の電動ミシンは、ミシン本体に無線で接続してミシン制御信号を発信し、充電可能な電源を備えた無線コントローラと、該無線コントローラに備えられ該無線コントローラを識別する識別信号を出力する識別信号出力装置と、該無線コントローラに備えられ、前記ミシン制御信号と識別信号とを送信する送信装置と、前記ミシン本体に備えられ、前記識別信号出力装置からの識別信号を入力する入力装置と、前記ミシン本体に備えられ、該入力した識別信号を登録する識別信号登録装置と、前記ミシン本体に備えられ、前記ミシン制御信号と識別信号を受信する受信装置と、前記ミシン本体に備えられ、該識別信号登録装置に登録した識別信号と前記受信装置から入力した識別信号を比較し、不一致の場合無線コントローラからの前記ミシン制御信号を無視する判別装置と、前記ミシン本体に備えられ、前記無線コントローラの電源と接続して、該電源を充電する充電装置と、を備えたことを特徴とする。
以上の構成により無線コントローラの識別信号の登録が簡単に行え、識別信号の確認により誤動作を防止できる。また無線コントローラの充電もミシン本体側で行えるため簡単である。そして、前記入力装置と充電装置は共通の接続端子を有するように構成することにより、識別信号の登録と充電を同時に行うことができる。更に前記接続端子が、ミシン本体のベッド上に設けられ、無線コントローラ側に該接続端子に接続する第２接続端子が設けられ、該第２接続端子は、無線コントローラをミシン本体のベッド上に載置したときに前記接続端子と接触する、ように構成することにより、無線コントローラをミシンのベッド上に載置するだけで、識別信号の登録と充電が行える効果がある。
【発明の効果】
【０００６】
本発明の電動ミシンによれば、無線コントローラの識別信号の登録と充電が容易にできる効果がある。
【発明を実施するための最良の形態】
【０００７】
以下本発明の実施の形態を図面に基づいて説明する。
図１に示すように、この電動ミシンはミシン本体１とコントローラ２を備える。ミシン本体１とコントローラ２との間はケーブルがなく、コードレスになっており、無線により接続されている。
【０００８】
ミシン本体１には表示装置５が設けられ、種々の表示を行い、またこの実施形態ではコントローラ２からの送信内容や状態を表示するようになっている。
ミシン本体１にはまた操作装置６が設けられており、使用者が種々の操作を行えるようになっている。
【０００９】
コントローラ２は足踏み式になっており、コントローラ２を踏み込むとスイッチ（図示せず）がオンになり、更に踏み込むと図３に示すように可変抵抗器２０が移動して、踏み込み量に応じた速度信号をミシン本体１に送るようになっている。該信号により、ミシン本体１では所定の縫い速度（駆動速度）で縫いが実行されるようになっている。
【００１０】
ミシン本体１のベッド１９には接続端子３が露出しており、コントローラ２のＩＤコードの受信とコントローラ２への充電を行うようになっている。
ベッド１９には図２に示すように、コントローラ２が載置できるスペースが確保された構成になっている。コントローラ２の裏面の接続端子３に対応する位置には第２接続端子４が設けられており、接続端子３と第２接続端子４が接触することにより信号の送受信と充電を行うようになっている。
【００１１】
図３にコントローラ２とミシン本体１のブロック図を示す。
コントローラ２には前記したように可変抵抗器２０が設けられ、コントローラ２の踏み込み量に応じた信号はＡ／Ｄ変換器２１でデジタル変換された上、変調器２３で変調され、送信回路２４からミシン本体１に送信される。
【００１２】
コントローラ２にはＩＤコード記憶装置２２が設けられており、各コントローラ２に固有のＩＤコード信号が格納されている。このＩＤコード信号は操作装置６における初期設定の操作により、第２接続端子４及び接続端子３を介してミシン本体１に送られるようになっている。
また、Ａ／Ｄ変換器２１からの信号にＩＤコードを付加して送信するようになっている。
【００１３】
電池２５は充電式のもので、コントローラ２全体の電源を供給し、また第２接続端子４を介してミシン本体１側から充電されるように構成されている。
電池２５としては通常の蓄電池、２次電池、電気二重層キャパシタなどを使用することが可能である。
【００１４】
ミシン本体１側には、接続端子３に接続する充電器１７が設けられ、コントローラ２の電池２５に接続端子３と第２接続端子４を介して充電するようになっている。
また、接続端子３には識別信号入力装置１５が接続し、ＩＤコード記憶装置２２からのＩＤコードを入力して識別信号登録装置１６に該ＩＤコードを登録するように構成されている。
【００１５】
ミシン本体１には、受信回路１０が設けられ、コントローラ２からの踏み込み量に応じた速度信号を受信し、復調器１１で復調してデコーダ１２でデコードした上で速度制御装置５０を介してモータ５１の回転速度を制御するようになっている。
【００１６】
ミシン本体１には更にＩＤコード照合装置１３が設けられ、前記識別信号登録装置１６に登録されたＩＤコードとコントローラ２の送信回路２４から送信されてきた速度信号に付加されたＩＤコードとを照合し、不一致の場合には、デコーダ１２における速度信号を無効とするように構成されている。
【００１７】
図４により動作を説明する。
コントローラ２がベッド１９上に載置され、接続端子３と第２接続端子４が接触し、操作装置６の操作でＩＤコードの初期設定モードが選択されると（ステップＳ１）、コントローラ２のＩＤコード記憶装置２２からＩＤコードを取得し（ステップＳ２、Ｓ３）、識別信号登録装置１６に該ＩＤコードを登録する（ステップＳ４）。
【００１８】
デコーダ１２においてコントローラ２からの速度信号とＩＤコードを受信すると、ＩＤコード照合装置１３で登録されたＩＤコードと受信されたＩＤコードの一致不一致を判断する（ステップＳ５）。不一致の場合は、動作を進行しない。
一致した場合は、速度信号を速度制御装置５０に送り（ステップＳ６）、モータ５１の速度制御を行う（ステップＳ７）。
【００１９】
なお、コントローラ２がベッド１９上に載置され、接続端子３と第２接続端子４が接触すると、充電器１７から電池２５への充電が行われる。
【００２０】
以上説明したように、コントローラ２をベッド１９上の所定位置に置くだけで充電器１７の充電が行われ、また操作装置６の操作によりＩＤコードの初期設定が実行される。
そのため、充電や初期設定の手間が大幅に省ける利点がある。
【００２１】
なお、前記したようにこの実施形態では、表示装置５にコントローラ２の状態を表示するように構成されている。即ち、コントローラ２の電池などの電源の残量、信号レベル、その他の情報が表示されるように構成されている。また電源の交換などの警告を表示装置５に表示するように構成することも可能である。
【図面の簡単な説明】
【００２２】
【図１】本発明の一実施形態を示す概略図。
【図２】本発明の一実施形態の動作を示す概略図。
【図３】本発明の一実施形態のブロック図。
【図４】本発明の一実施形態の動作を示すフローチャート図。
【符号の説明】
【００２３】
１：ミシン本体、２：コントローラ、３：接続端子、４：第２接続端子、５：表示装置、６：操作装置、１０：受信回路、１１：復調器、１２：デコーダ、１３：ＩＤコード照合装置、１５：識別信号入力装置、１６：識別信号登録装置、１７：充電器、１９：ベッド、２０：可変抵抗器、２１：Ａ／Ｄ変換器、２２：ＩＤコード記憶装置、２３：変調器、２４：送信回路、２５：電池、５０：速度制御装置、５１：モータ。
【図１】
2006026148.tif 000003
【図２】
2006026148.tif 000004
【図３】
2006026148.tif 000005
【図４】
2006026148.tif 000006